(57)【要約】      （修正有）【課題】必要時に主ミラーの保持枠の一端縁に開口される収納部から被収納物体を手元に取出して使用に供し、それ以外は収納部に収納し、運転に目障りにならず、運転視認性が良好であり、主ミラーが本来発揮する後方視認性を保証し、社内は整然と整理され、被収納物体にほこり、ゴミが付着するのを防いで清潔に保つ。【解決手段】主ミラー１を取付手段を介して既設のルームミラーＭの前面に着脱可能に取付けるルームミラーにおいて、主ミラーの保持枠１Ａの一端縁に開口される収納部３に被収納物体４を取り出し可能に且つ抜き差し可能にロック機構部を介して収納する。【選択図】図２
0003134444.tif 000002
【実用新案登録請求の範囲】
【請求項１】
主ミラーを取付手段を介して既設のルームミラーの前面に着脱可能に取付けるルームミラーにおいて、
前記主ミラーの前記保持枠の一端縁に開口される収納部に被収納物体を取出可能に且つ抜差可能にロック機構部を介して収納することを特徴とするルームミラー。
【請求項２】
前記被収納物体が、コンパクトミラー、小銭入れ、カード入れ、名刺入れ、チケットや
請求書、領収書等の書類入れであることを特徴とする請求項１に記載のルームミラー。
【請求項３】
前記ロック機構部が、前記被収納物体を前記収納部に押込む時に前記被収納物体の一端が係止可能な係止部を後端に設け、前端内側には前記被収納物体が押し込まれると、該被収納物体の外側に設けた係合凹部内に係脱可能に後端内側に弾性係止片を設けた側面略Ｌ字状の押込みロック部材と、一端が該押込みロック部材に接続され、他端が前記主ミラーの保持枠に固定された引張りばねと、により形成されることを特徴とする請求項１または２に記載のルームミラー。
【請求項４】
前記弾性係止片が、可撓性を有する湾曲した摺動足部により形成されたことを特徴とする請求項１に記載のルームミラー。
【考案の詳細な説明】
【技術分野】
【０００１】
本考案は、ルームミラーに関し、自動車の運転席の前方に設けられた既設のルームミラーの前面に重ね合わされるように取付けられてルームミラーの広角化をはかり、また、コンパクトミラー、小銭入れ、カード入れ、名刺入れ、領収書等の書類入れ等の被収納物体を必要時に主ミラーの収納部に取出可能に収納したものである。
【背景技術】
【０００２】
従来、自動車の運転席に設けられた既設のルームミラーの前面に重ね合わされて着脱可能に取付けられることにより広角度を視認可能とするルームミラーとして、既設のルームミラーの表面を覆うように板体状の主ミラーを着脱自在に取付け、該主ミラーに連結部材を介して可動自在に補助ミラーを側端に連結支持するものがある。そして、主ミラーを既設のルームミラーに取付けるのに、主ミラーの裏面側の左右に、上下に対向して設けた２対の取付部として可撓性を有する係止爪により既設のルームミラーを上縁および下縁を挟持するようにして取付けるものであった（例えば特許文献１参照）。
【特許文献１】特許第２９２４９６０号公報
【考案の開示】
【考案が解決しようとする課題】
【０００３】
しかしながら、特許文献１に記載の上記従来のルームミラーは、既設のルームミラーの前面に着脱自在に取付けられる主ミラーによって、既設のルームミラーと略同様に真後ろを写し出し、主ミラーに対して連結部材を介して可動可能に増設された補助ミラーにより主ミラーに写し出される死角を無くし、運転者が広角に背部を見ることを目指すものであるため、補助ミラーを設けた分だけ、運転者の前方視認性が損なわれる。しかも、補助ミラーを設けた分だけ、煩雑感を増すので、運転者は、運転に際し、かなり目障りであった。また、特許文献１記載の従来のルームミラーは、既設のルームミラーに連繋して取付けられる主ミラーに対して連結部材の可動範囲だけ、補助ミラーの取り付け角度や取付距離の変更が許容されて運転席の後方を広角度に視認することを目指すものである。従って、それ以外の用途、例えば化粧をする等の必要時に見る手鏡として使用することを想定するものではなく、用途が限られ、不便を感じていた。
【０００４】
本考案は上記従来の不都合を解決し、必要時に被収納物体を主ミラーの保持枠の一端縁に開口される収納部から手元に取出して使用に供し、それ以外は主ミラーの収納部に収納することにより運転に目障りになることなく、運転視認性が良好であるとともに主ミラーが本来発揮する後方視認性を保証し、また、車内は整然と整理され、さらには、被収納物体にほこり、ゴミが付着するのを防いで清潔に保てるルームミラーを提供することを目的とする。
【課題を解決するための手段】
【０００５】
本考案は上記課題に鑑みなされ、請求項１に記載の考案は、
主ミラーを取付手段を介して既設のルームミラーの前面に着脱可能に取付けるルームミラーにおいて、
前記主ミラーの前記保持枠の一端縁に開口される収納部に被収納物体を取出可能に且つ抜差可能にロック機構部を介して収納することを特徴とする。
【０００６】
また、本考案の請求項２に記載の考案は、請求項１において、前記被収納物体が、コンパクトミラー、小銭入れ、カード入れ、名刺入れ、チケットや請求書、領収書等の書類入れであることを特徴とする。
【０００７】
また、本考案の請求項３に記載の考案は、請求項１または２において、前記ロック機構部が、前記被収納物体を前記収納部に押込む時に前記被収納物体の一端が係止可能な係止部を後端に設け、前端内側には前記被収納物体が押し込まれると、該被収納物体の外側に設けた係合凹部内に係脱可能に後端内側に弾性係止片を設けた側面略Ｌ字状の押込みロック部材と、一端が該押込みロック部材に接続され、他端が前記主ミラーに固定された引張りばねと、により形成されることを特徴とする。
【０００８】
さらに、本考案の請求項４に記載の考案は、請求項１において、前記弾性係止片が、可撓性を有する湾曲した摺動足部により形成されたことを特徴とする。
【考案の効果】
【０００９】
本考案の請求項１に記載の考案によれば、主ミラーを取付手段を介して既設のルームミラーの前面に着脱可能に取付けるルームミラーにおいて、前記主ミラーの前記保持枠の一端縁に開口される収納部に被収納物体を取出可能に且つ抜差可能にロック機構部を介して収納することを特徴とするので、必要時に被収納物体を主ミラーの保持枠の一端縁に開口される収納部から手元に取出して使用に供し、それ以外は収納部に収納することにより運転に目障りになることなく、運転視認性が良好であるとともに主ミラー本来の後方視認性を保証し、また、車内も整然と整理され、さらには、被収納物体にほこり、ゴミが付着するのを防いで清潔に保つことができる。
【００１０】
また、本考案の請求項２に記載の考案によれば、前記被収納物体が、コンパクトミラー、小銭入れ、カード入れ、名刺入れ、チケットや請求書、領収書等の書類入れであることを特徴とするので、必要時のみ被収納物体を主ミラーの保持枠の一端縁に開口される収納部から手元に取出して使用に供し、それ以外は収納することにより運転に目障りになることなく、運転視認性が良好であるとともに主ミラー本来の後方視認性を保証し、また、車内も整然と整理され、さらには、被収納物体にほこり、ゴミが付着するのを防いで清潔に保て、しかも、紛失することなく、保管に適する。
【００１１】
また、本考案の請求項３に記載の考案によれば、前記ロック機構部が、前記被収納物体を前記収納部に押込む時に前記被収納物体の一端が係止可能な係止部を後端に設け、前端内側には前記被収納物体が押し込まれると、該被収納物体の外側に設けた係合凹部内に係脱可能に後端内側に弾性係止片を設けた側面略Ｌ字状の押込みロック部材と、一端が該押込みロック部材に接続され、他端が前記主ミラーの保持枠に固定された引張りばねと、により形成されることを特徴とするので、主ミラーの保持枠の一端に設けられた収納部に収納されている被収納物体を取出すのには、収納部から露出されている被収納物体を引っ張りばねの縮力に抗して僅かに押し込むと、被収納物体の外側に設けた係合凹部内に係止されて被収納物体の不用意な抜け出しを規制している押込みロック部材の弾性係止片を脱係させ、係合は解かれる。そして、押込みロック部材の一端に設けられた係止部に係止されている被収納物体は、引張りばねの縮力によりその縮力を生じない初期位置まで引かれ、他端が収納部から取出し易い位置に露出される。こうして、被収納物体は露出された他端が摘ままれ、収納部から手元に取出され、使用の途に供される。被収納物体が使用されて用済後は、再び被収納物体の一端を主ミラーの保持枠の一端縁に開口される収納部内に挿入すると、被収納物体は、その一端が押込みロック部材の係止部に係止されて引張りばねの縮力に抗して緩やかに所定位置まで押し込まれ、被収納物体の外側に設けた係合凹部内にロック機構部の弾性係止片が弾性的に係止されることによりロックが行われ、収納部内に収納される。
【００１２】
さらに、本考案の請求項４に記載の考案によれば、前記弾性係止片が、可撓性を有する湾曲した摺動足部により形成されたことを特徴とするので、この弾性係止片が被収納物体の取出時、および押込み時には被収納物体の側縁に弾力的に接触することによりガタツキなく、被収納物体を円滑に案内移動させ、またロック時には被収納物体の外側に設けた係合凹部内に弾性係止片が弾力的に係合し、ロックを確実にする。
【考案を実施するための最良の形態】
【００１３】
以下、図面に従って本考案の実施の最良の形態により、本考案の詳細を説明する。
【００１４】
図１は本考案のルームミラーの実施形態を示す背面図、図２は同じく正面図、図３は同じく右側面図、図４は同じく図２のＡ−Ａ矢視図、図５は同じく平面図、図６は主ミラーの収納部からコンパクトミラーを取出した状態の斜視図、図７は同じく主ミラーの収納部内にコンパクトミラーを収納してロックした状態のミラーを剥離した正面図、図８は同じく主ミラーの収納部内おいてコンパクトミラーのロックを解除した状態の正面図である。
【００１５】
本実施形態によれば、主ミラー１を取付手段を介して既設のルームミラーＭの前面に着脱可能に取付けるルームミラーであり、しかも、主ミラー１を既設のルームミラーＭの前面に着脱自在に取付けるための取付手段として、主ミラー１の保持枠１Ａの裏面の上下の一方、例えば下側に突設された数対の係止爪体２′,２′を少なくとも他方、例えば上側に突設された数対の固定的な係止爪体２,２に対して移動させることにより既設のルームミラーＭの前面に前記主ミラー１を着脱可能に取付けるルームミラーである点は、特許文献１に記載の発明と同様の技術思想である。
【００１６】
しかしながら、本実施形態１では、該主ミラー１の保持枠１Ａの一端縁に開口される収納部３に被収納物体４を取出可能に且つ抜差可能に収納部３内に設けられたロック機構部５を介して収納することを特徴とする。
【００１７】
前記被収納物体４が、図示する本実施形態では、コンパクトミラーｍを代表的に説明しているが、被収納物体４はこれに限ることなく、例えば図には示さないが収納保持枠内に収納対象物を収納するための空間部を有する小銭入れ、カード入れ、名刺入れ、チケットや請求書、領収書等の書類入れであってもよい。
【００１８】
また、前記ロック機構部５が、前記被収納物体４を前記収納部３に押込む時に前記被収納物体４の一端４ａが係止可能な係止部６を後端に設け、前端内側には前記被収納物体４が押し込まれると、該被収納物体４の外側に設けた係合凹部７内に係脱可能に後端内側に弾性係止片８を設けた側面略Ｌ字状の押込みロック部材９と、一端１０ａが該押込みロック部材９に接続され、他端１０ｂが前記主ミラー１の保持枠１Ａに固定された引張りばね１０と、により形成される。
【００１９】
また、前記弾性係止片８が、可撓性を有する円弧状に湾曲した摺動足部８Ａにより形成される。
【００２０】
本実施形態のルームミラーは以上の構成からなり、主ミラー１の保持枠１Ａの裏面側の上下少なくとも一方、例えば下側に突設された数対の係止爪体２′,２′を、他方に突設された数対の固定的な係止爪体２,２に対して図には示さないコイルばねの引力に抗して上下方向に移動させて既設のルームミラーＭを挟持することにより運転席に装備された既設のルームミラーＭの前面に、着脱自在に取付けられる主ミラー１の保持枠１Ａの一端、本実施形態では図示するように右端に臨まれる収納部３内に被収納物体４としてのコンパクトミラーｍが収納されている。
【００２１】
この際、図７に示すように、このコンパクトミラーｍは、その外側に設けた係合凹部７内にロック機構部５の弾性係止片８が弾性的に係止されることによりロックが行われ、収納部３からの不用意な抜け出しが阻止された状態で収納され、係合凹部７内にロック機構部５の弾性係止片８が弾性的に係止され、ガタツキが生ずることなく収納部３内に保持されている。
【００２２】
そして、このように主ミラー１の保持枠１Ａに設けた収納部３内に収納されているコンパクトミラーｍを使用するのにあたり外部に取出すのには、収納部３から一部が露出されているコンパクトミラーｍを摘んで引っ張りばね１０の縮力に抗して僅かに押し込むと、コンパクトミラーｍの外側に設けた係合凹部７内に係止されてロックされている押込みロック部材９の弾性係止片８が係合凹部７内から脱係され、係合が解かれる。
【００２３】
そして、押込みロック部材９の一端に設けられた係止部６に係止されているコンパクトミラーｍは、引張りばね１０の縮力を受けてその縮力を発揮しない初期位置まで引かれ、他端４ｂが収納部３から取出し易い位置に収納部３から露出される。
【００２４】
この際、可撓性を有する湾曲した摺動足部８Ａにより形成された弾性係止片８が、コンパクトミラーｍの取出時にコンパクトミラーｍの側縁に弾力的に接触しながら摺動することによりコンパクトミラーｍは収納部３から取出し位置にガタツキなく、円滑に案内移動される。
【００２５】
こうして、コンパクトミラーｍは、露出された他端４ｂが摘ままれ、収納部３から手元に引出される。こうして、例えば化粧を行う場合の手鏡として使用の途に供される。
【００２６】
使用後は、再びコンパクトミラーｍの一端４ａを主ミラー１の保持枠１Ａの一端縁に開口される収納部３内に挿入すると、コンパクトミラーｍは、その一端４ａが押込みロック部材９の係止部６に係止されて引張りばね１０の縮力に抗して緩やかに所定位置まで押し込まれる。そして、コンパクトミラーｍの外側に設けた係合凹部７内にロック機構部５の弾性係止片８が弾性的に係止されることによりロックが行われ、コンパクトミラーｍは、収納部３内に収納される。
【００２７】
このように必要時のみ被収納物体４としてのコンパクトミラーｍを主ミラー１の保持枠１Ａの一端縁に開口される収納部３から手元に取出して使用に供される。しかも、コンパクトミラーｍはそれ以外は収納部３内に収納されていることにより、邪魔にならないため、運転者は運転に目障りになることなく、運転視認性が良好であるとともに主ミラー１本来の後方視認性を保証し、また、車内も整然と整理され、さらには、被収納物体４にほこり、ゴミが付着するのが防がれ、清潔に保つことができる。
【００２８】
図示する上記実施形態では、被収納物体としての主ミラー１の保持枠１Ａの一端、本実施形態では図示するように、例えば図２に示すように、右端に収納部３が臨まれるように設けられることにより、この収納部３内に被収納物体４としてのコンパクトミラーｍを収納するようにしているが、これは代表的な例示であり、図には示さないが、収納部３は主ミラー１の保持枠１Ａの左端、上端、下端の何れに臨まれるように設けることにより被収納物体４を収納したり、取出すようにしてもよい。
【００２９】
また、図示する上記実施形態では、被収納物体４が、コンパクトミラーｍである場合を代表的に説明しているが、被収納物体４はこれに限ることなく、例えば図には示さないが収納部３内に収納可能な収納保持枠内に小銭を収容するための空間部を有する例えば小銭入れ、また、カードを収納するための空間部を有するカード入れ、名刺を収納するための空間部を有する名刺入れ、チケットや請求書、領収書等を収納するための空間部を有する書類入れであってもよく、設計変更は自由に行える。
【００３０】
なお、上記説明では、既設のルームミラーＭに主ミラー１を重ね合わせて取り付けるための取付手段が、主ミラー１の保持枠１Ａの裏面側の上下少なくとも一方、例えば下側に突設された数対の係止爪体２′,２′を、他方に突設された数対の固定的な係止爪体２,２に対して図には示さないコイルばねの引力に抗して上下方向に移動させてルームミラーＭを挟持することにより運転席に装備された既設のルームミラーＭの前面に、着脱自在に主ミラー１を取付けるようにしているが、これは例示的説明であり、主ミラー１の取付手段はこのほかに両面接着テープを用いて接着したり、小ねじを用いて螺着するものであってもよい。
【産業上の利用可能性】
【００３１】
本考案は、必要時に被収納物体を主ミラーの保持枠の一端縁に開口される収納部から手元に取出して使用に供し、それ以外は主ミラーの収納部に収納することにより運転に目障りになることなく、運転視認性が良好であるとともに主ミラーが本来発揮する後方視認性を保証し、また、車内は整然と整理され、さらには、被収納物体にほこり、ゴミが付着するのを防いで清潔に保てるという用途・機能に適する。
【図面の簡単な説明】
【００３２】
【図１】本考案のルームミラーの実施形態を示す背面図である。
【図２】図２は同じく正面図である。
【図３】図３は同じく右側面図である。
【図４】図４は同じく図２のＡ−Ａ矢視図である。
【図５】図５は同じく平面図である。
【図６】図６は主ミラーの収納部からコンパクトミラーを取出した状態の斜視図である。
【図７】図７は同じく主ミラーの収納部内にコンパクトミラーを収納してロックした状態のミラーを剥離した正面図である。
【図８】図８は同じく主ミラーの収納部内おいてコンパクトミラーのロックを解除した状態の正面図である。
【符号の説明】
【００３３】
１    主ミラー
２    係止爪体
３    収納部
４    被収納物体
５    ロック機構部
６    係止部
７    係合凹部
８    弾性係止片
９    押込みロック部材
１０  引張りばね
Ｍ    既設のルームミラー
ｍ    コンパクトミラー
【図１】
0003134444.tif 000003
【図２】
0003134444.tif 000004
【図３】
0003134444.tif 000005
【図４】
0003134444.tif 000006
【図５】
0003134444.tif 000007
【図６】
0003134444.tif 000008
【図７】
0003134444.tif 000009
【図８】
0003134444.tif 000010